(57)【要約】【課題】筆感、インキかすれ、ボール密着の全てについて満足できるボールペンチップを提供すること。【解決手段】チップ１先端のボール抱持部２にボール３を回転自在に抱持し、チップ１内に、中央にインキ流通孔４と、インキ流通孔４に連通して、その後端に至らない深さの放射状溝５を持つボール座６を設け、先端をストレート部７ａとしたコイル状のスプリング７をストレート部７ａがインキ流通孔４を通ってボール抱持部２内のボール３に弾性・当接するよう配設すると共に、放射状溝５の溝幅Ｗとストレート部７ａの外径ＤをＷ＞１．４Ｄにし、この放射状溝内縁５ａを含めてインキ流通孔４内をチップ中心線ａ方向にフリーに弾性移動可能なストレート部７ａに付勢されて、ボール３がボール抱持部先端口縁２ａに押圧されるようにしてある。【選択図】　図３
2004130666.tif 000002
【特許請求の範囲】
【請求項１】
チップ先端のボール抱持部にボールを回転自在に抱持し、チップ内に、中央にインキ流通孔と、該インキ流通孔に連通して、その後端に至らない深さの放射状溝を持つボール座を設け、先端をストレート部としたコイル状のスプリングをストレート部が前記インキ流通孔を通ってボール抱持部内のボールに弾性・当接するよう配設すると共に、放射状溝の溝幅Ｗとストレート部の外径ＤをＷ＞１．４Ｄにし、この放射状溝内縁を含めてインキ流通孔内をチップ中心線方向にフリーに弾性移動可能なストレート部に付勢されて、ボールがボール抱持部先端口縁に押圧されるようにしてあるボールペンチップ。
【請求項２】
ボールにおけるストレート部先端の弾性・当接範囲を、ボール中心を通るチップ中心線に対するボール中心からの角度θがθ＜３３°にしてあることを特徴とする請求項１記載のボールペンチップ
【発明の詳細な説明】
【０００１】
【発明の属する技術分野】
本発明は、高粘度の液体を塗布或いは筆記するのに有用なボールペンタイプのチップに関する。
【０００２】
【従来の技術】
この種のチップでは、塗布或いは筆記するインキの粘度が高いため、インキかすれ（筆記かすれ）が発生し易いという問題を抱えている。このインキかすれは、▲１▼粘度の高いインキがボール抱持部内で乾燥し易く、インキの流れを阻害し、回転することでインキをボール抱持部から引き出して働くボールの円滑な回転を妨げる場合、▲２▼ボール抱持部へのインキ供給が不足している場合、等に起こり得る。
このような問題に対して、特開平２０００−１５８８６９号公報のチップがあり、▲１▼については、スプリングでボールをボール抱持部先端口縁に弾性的に押圧して密着させることで、筆圧がかからない状態では栓がされて、インキの乾燥を阻止し得るようにしている。また、▲２▼については、ボール抱持部底面に放射状溝を配設してインキ通路を拡大することで、インキ供給が十分に行なわれるようにしている。
その一方で、放射状溝および通溝の溝幅がスプリング端部のストレート部径よりも小幅であるため、筆圧或いはスプリングのバネ圧を受けてボールがチップ中心線方向に動く際、このボールに追従してチップ中心線方向に移動するストレート部は、放射状溝或いは通溝の内縁左右を摺擦することになる。しかも、この摺擦はバネ圧がかかった状態で行なわれるため、摺擦抵抗の増大および摺擦音の発生、ストレート部の放射状溝への嵌り込み等により、ストレート部およびボールのスムーズな上下動が妨げられる。この結果、ボールの回転にまで影響して、滑らかな筆感が得られない、ボールのボール抱持部先端口縁への密着が不十分になる等の新たな問題が発生することになった。また、嵌り込んだストレート部により放射状溝へのスムーズなインキの流入が妨げられて、インキかすれが生じ易いという問題もある。
これらの諸問題については、例えば放射状溝の溝幅Ｗとストレート部の外径Ｄの関係をＷ＞Ｄとすれば、ストレート部は溝への嵌り込みを防げるはずであるが、実際にはＷがＤより僅かに大きい程度では、ボールのスムーズな動き（チップ中心線方向および回転等）を得られず、また、インキの十分な供給を得ることができない。
【０００３】
ところで他の問題として、ボールをボール抱持部先端口縁に対して各縁部均等に押圧するという観点で考えると、ストレート部先端がチップ中心線上に位置して、チップ中心線と同一方向にボールを押すのが理想である。しかし、実際には、ストレート部先端はインキ流通孔の孔面側に寄っているのが常であり、また、これを解決するものとして特開平２００１−１９１６７９号公報におけるスプリング先端の小径巻き部がボールに接して押圧するもの、特開平２００１−１２１８６９号公報における大径部を有するストレート部でボールを押圧するもの等が提案されているが、いずれのものも構造的にインキ流通孔が狭くなることでインキ流通量の低下を避けられない。
このストレート部先端の理想の位置と実際の位置とのズレは、インキ流通孔のインキ流通量を確保する上で避けられないことである。
【０００４】
本発明者は、筆感、インキかすれ、ボール密着の三点について鋭意研究の結果、放射状溝の溝幅Ｗとストレート部の外径Ｄの関係を解明することで良好な結果が得られることを知見して完成したものである。また、本発明者は、ボールにおけるストレート部先端の弾性・当接範囲を、ボール中心を通るチップ中心線に対するボール中心からの角度について解明することで良好な結果が得られることを知見して完成したものである。
【０００５】
【発明が解決しようとする課題】
解決しようとする課題は、第１には、筆感、インキかすれ、ボール密着の全てについて満足できるボールペンチップを、第２には、さらに、ボール密着が確実に行なわれるボールペンチップを提供することにある。
【０００６】
【課題を解決するための手段】
本発明は前記した課題を達成するため、チップ先端のボール抱持部にボールを回転自在に抱持し、チップ内に、中央にインキ流通孔と、該インキ流通孔に連通して、その後端に至らない深さの放射状溝を持つボール座を設け、先端をストレート部としたコイル状のスプリングをストレート部が前記インキ流通孔を通ってボール抱持部内のボールに弾性・当接するよう配設すると共に、放射状溝の溝幅Ｗとストレート部の外径ＤをＷ＞１．４Ｄにし、この放射状溝内縁を含めてインキ流通孔内をチップ中心線方向にフリーに弾性移動可能なストレート部に付勢されて、ボールがボール抱持部先端口縁に押圧されるようにしてあることを特徴とする。
また本発明では、ボールにおけるストレート部先端の弾性・当接範囲を、ボール中心を通るチップ中心線に対するボール中心からの角度θがθ＜３３°にしてあることを特徴とする。
【０００７】
本発明における角度θは、θが３３°を超えるとストレート部先端がボールを押す力のうち、チップ中心軸に対し横方向の力が大きくなり、ボールをボール抱持部先端口縁の各縁に均等に押し付けることが難しくなり、θ＜３３°であれば、ボール抱持部先端口縁の各縁へのボールの等しい密着具合が得られる。
放射状溝は、チップ中心線周りに等角度状に配設されるのが好ましい。また、放射状溝の深さは、Ｗ＞１．４Ｄの関係を損なわないようになる。同様に、ボール径、ボールの軸線方向のがた、インキ流通孔径、スプリングストレート部径、スプリングストレート部長さ等についても、Ｗ＞１．４Ｄの関係を損なわないようになる。
チップおよびボールの材質は、金属製、セラミック製、その他の硬質部材になる。
【０００８】
【発明の実施の形態】
図１〜図４には本発明のボールペンチップにおける実施の１形態を例示しており、軸筒（図示せず）に挿着可能な形態のチップ１は、先端のボール抱持部２にボール３を回転自在に抱持し、チップ１内には、中央にインキ流通孔４と、インキ流通孔４に連通して、その後端に至らない深さの放射状溝５を三方に等角度状に持つボール座６を設けると共に、先端をストレート部７ａとしたコイル状のスプリング７をストレート部７ａがインキ流通孔４を通ってボール抱持部２内のボール３に弾性・当接するよう配設してある。
放射状溝５の溝幅Ｗとストレート部７ａの外径Ｄは、Ｗ＞１．４Ｄにしてあり、この放射状溝５の内縁５ａを含めてインキ流通孔４内をチップ中心線ａ方向にフリーに弾性移動可能なストレート部７ａに付勢されて、ボール３がボール抱持部２の先端口縁２ａに対して各縁均等に押圧されるようにしてある。
そして、ボール３におけるストレート部７ａ先端の弾性・当接範囲ｂは、ボール中心ｃを通るチップ中心線ａに対するボール中心ｃからの角度θがθ＜３３°になるように形成してある。
また、ボール抱持部２とインキ流通孔４との連成角部８は、ボール３の球面に沿う曲面に形成して、連成角部８と接触時におけるボール３の回転が円滑になるようにしてある。
表１は本発明のボールペンチップの実施例１および実施例２を、比較例１および比較例２とともに示している。
【０００９】
【表１】
2004130666.tif 000003
【００１０】
表１に示す通り、少なくともＷ＞Ｄが、Ｗ＞１．４Ｄの条件に満たない比較例１および２は、筆感、インキかすれ、ボール密着ともに×〜△の評価であるのに対し、Ｗ＝１．４４Ｄである本発明の実施例１および２の評価は、筆感、インキかすれ、ボール密着の全てが○〜◎であった。そして、さらに、θが、θ＜３３°の条件を満たしている実施例２では、ボール密着が◎の評価になった。
【００１１】
【発明の効果】
Ａ．請求項１により、筆感が滑らかで音の発生もなく、インキかすれによる不満がなく、ボール密着が良くてインキの乾燥等による不都合がなく、ボールペンチップとして総じて満足できる評価を示し、高粘度のインキ用に好適である。
Ｂ．請求項２により、さらに、ボールがボール抱持部先端口縁の各縁へ等しく押し付けられて密着することによって良好な密着関係が得られ、高粘度のインキ用に好適である。
【図面の簡単な説明】
【図１】本発明のボールペンチップにおける実施の１形態を例示している縦断面図。
【図２】部分拡大縦断面図。
【図３】図２の（３）−（３）横断面図。
【図４】ボールが移動した状態の部分拡大縦断面図。
【符号の説明】
１　チップ
２　ボール抱持部
２ａ　先端口縁
３　ボール
４　インキ流通孔
５　放射状溝
５ａ　内縁
６　ボール座
７　スプリング
７ａ　ストレート部
８　連成角部
Ｗ　放射状溝の溝幅
Ｄ　ストレート部の外径
ａ　チップ中心線
ｂ　弾性・当接範囲
ｃ　ボール中心
θ　角度
【図１】
2004130666.tif 000004
【図２】
2004130666.tif 000005
【図３】
2004130666.tif 000006
【図４】
2004130666.tif 000007